(57)【要約】      （修正有）【課題】道糸への着脱が簡単な釣り用のシモリを提供する。【解決手段】シモリ１０は、シモリ本体１２、道糸が通される穴１４、シモリ本体１２の側部２２ｃから穴１４に向かう溝１６、および穴１４を形成する内壁部分１８に設けられた逆止部２０を備える。道糸へのシモリ１０の着脱は、溝１６から穴１４に道糸を入れるだけであり、簡単である。仕掛けの作成や調節などが非常に簡単である。初心者でも簡単に仕掛けを作ることができる。【選択図】図１
0003160626.tif 000002
【実用新案登録請求の範囲】
【請求項１】
シモリ本体を貫通し、道糸が通される穴と、
前記シモリ本体の側部から穴に向けて形成された溝と、
前記穴を形成する内壁部分に設けられ、溝から穴に向かう道糸の力によって穴の内方に変形し、溝から穴へ道糸が通過する通路を開く逆止部と、
を備えた釣り用のシモリ。
【請求項２】
前記逆止部は、前記力が脱力されると内壁部分に戻り、前記通路を閉じる請求項１の釣り用のシモリ。
【請求項３】
前記シモリ本体が、樹脂製または木製の板または立体である請求項１または２の釣り用のシモリ。
【請求項４】
請求項１から３のいずれかの釣り用のシモリが、中通しのウキおよびウキ止めと共に使用され、
前記シモリ本体は、中通しのウキに形成され、道糸が通される穴よりも大きく、
前記ウキ止めは、中通しのウキの穴を通過でき、かつシモリ本体の穴を通過できない大きさである、
請求項１から３のいずれかの釣り用のシモリ。 
【考案の詳細な説明】
【技術分野】
【０００１】
本考案は、釣りの仕掛けに使用される釣り用のシモリに関するものである。
【背景技術】
【０００２】
釣りの仕掛けとして、中通しのウキを使用する場合がある（下記特許文献１など）。図１２の仕掛け１００は、道糸５２にシモリ１０２と中通しのウキ５６が通される。また、道糸５２にウキ止め糸を結んでウキ止め５４を形成する。仕掛け１００は、竿側からウキ止め５４、シモリ１０２、ウキ５６の順番に並ぶ。さらに、道糸５２の先端側には、錘５８や釣り針６０が取り付けられる。
【０００３】
シモリ１０２と中通しのウキ５６には、それぞれ道糸５２が通される穴６４、１０４を有する。シモリ１０２の穴１０４は、ウキ止め５４が通過できない大きさである。また、ウキ５６の穴６４は、道糸５２との摩擦を小さくするために、道糸５２に対して十分な大きさになっている。シモリ１０２は、ウキ５６よりも小さいが、ウキ５６の穴６４よりも大きくなっている。
【０００４】
仕掛け１００を投げ入れると、釣り針６０に取り付けられた餌や錘５８が水中に沈んでいく。ウキ５６は水面に浮き上がろうとして道糸５２に沿って竿側に移動し、ウキ止め５４に止まったシモリ１０２によって止められる。ウキ止め５４から釣り針６０までの長さを調節することで、餌の位置を調節できる。
【０００５】
しかし、仕掛け１００を作る際、シモリ１０２の穴１０４に道糸５２を通す必要がある。シモリ１０２を変更したり、シモリ１０２の数を変更したりして、仕掛け１００の調節をする場合がある。仕掛け１００を調節する際、シモリ１０２の着脱のために道糸５２を切断する必要が生じる。釣り時の条件によって仕掛け１００を調節することは多々あり、シモリ１０２の着脱が面倒になる。
【先行技術文献】
【特許文献】
【０００６】
【特許文献１】特開２００６−２０４２１６号公報
【考案の概要】
【考案が解決しようとする課題】
【０００７】
本考案の目的は、道糸への着脱が簡単な釣り用のシモリを提供することにある。
【課題を解決するための手段】
【０００８】
本考案のシモリは、シモリ本体を貫通し、道糸が通される穴と、前記シモリ本体の側部から穴に向けて形成された溝と、前記穴を形成する内壁部分に設けられ、溝から穴に向かう力によって穴の内方に変形し、溝から穴へ道糸が通過する通路を開く逆止部とを備える。
【０００９】
シモリ本体の溝に道糸を入れ、道糸を穴の方向に押し込む。このときに生じる力によって逆止部が穴に向かって変形し、道糸が通過する通路が開く。この通路を道糸が通過し、穴の中に道糸が入れられる。
【００１０】
前記逆止部は、前記力が脱力されると内壁部分に戻り、前記通路を閉じる。道糸が穴の中に入り、逆止部への力が脱力されると、逆止部が元の位置に戻り、通路が閉じられる。
【００１１】
前記シモリ本体が、樹脂製または木製の板または立体である。シモリ本体が水よりも比重が小さく、水に対して浮き上がろうとする。
【００１２】
上記の釣り用のシモリが、中通しのウキおよびウキ止めと共に使用され、前記シモリ本体は、中通しのウキに形成され、道糸が通される穴よりも大きく、前記ウキ止めは、中通しのウキの穴を通過でき、かつシモリ本体の穴を通過できない大きさである。釣り用の仕掛けにシモリを使用すると、ウキ止めとウキとの間にシモリが配置される。シモリは、ウキがウキ止めで停止する役割を果たす。
【考案の効果】
【００１３】
本考案によると、溝から穴に道糸を入れるだけで、簡単にシモリの着脱ができる。仕掛けを作ったり調節するのが非常に簡単である。釣り用の仕掛けを作るときに、ウキとシモリを取り付ける順番などは関係なくなるため、初心者でも簡単に仕掛けを作ることができる。
【図面の簡単な説明】
【００１４】
【図１】本考案のシモリの外観を示す図である。
【図２】シモリ本体を示す図であり、（ａ）は上部を示し、（ｂ）は下部を示す図である。
【図３】シモリ本体の穴と逆止部を拡大した図である。
【図４】シモリに道糸を通す図であり、（ａ）は溝に道糸を入れる図であり、（ｂ）は逆止部が道糸を入れる力によって開く図であり、（ｃ）は道糸が穴に入り、逆止部が元に戻った図である。
【図５】シモリから道糸を外す図であり、（ａ）は道糸を折り曲げて溝に入れる図であり、（ｂ）は穴に入った道糸を引き抜く図である。
【図６】本考案のシモリを使用した仕掛けを示す図である。
【図７】溝の入口を広げて、穴に向けて徐々に狭めた図である。
【図８】リング状のシモリ本体を示す図である。
【図９】板状のシモリ本体を示す図である。
【図１０】球のシモリ本体を示す図であり、（ａ）は側面図であり、（ｂ）は上面図である。
【図１１】半球のシモリ本体を示す図であり、（ａ）は側面図であり、（ｂ）は上面図である。
【図１２】従来のシモリを使用した仕掛けを示す図である。
【考案を実施するための形態】
【００１５】
本考案のシモリについて図面を使用して説明する。図面は模式的に示しており、実際の寸法とは異なる場合がある。
【実施例１】
【００１６】
図１に示す本考案のシモリ１０は、シモリ本体１２、道糸が通される穴１４、シモリ本体１２の側部２２ｃから穴１４に向かう溝１６、および穴１４を形成する内壁部分１８に設けられた逆止部２０を備える。
【００１７】
シモリ本体１２は、水よりも比重の小さい樹脂などで構成される。シモリ１０は、仕掛けを投入したあと、水面に浮かび上がる。図１に示すシモリ本体１２は、帯状の板を折り曲げて一周させ、端部同士を接着したものである。図１にあわせて、上部２２ａ、下部２２ｂ、側部２２ｃ、２２ｄ、２２ｅ、２２ｆとして説明する。後述する仕掛けでは、上部２２ａが竿側であり、下部２２ｂはウキ側となる。また、上部２２ａと下部２２ｂは逆であっても良い。
【００１８】
道糸が通される穴１４は、シモリ本体１２の上部２２ａの中央部分を貫通させて形成される。穴１４の形状は任意であるが、道糸が傷つきにくいように、穴１４は円形であるのが好ましい。この穴１４は、道糸を通過させられるが、ウキ止めは通過できない大きさである。
【００１９】
溝１６は、シモリ本体１２の上部２２ａにおいて、側部２２ｃから穴１４に向かって形成される。溝１６によって、側部２２ｃは２つに分かれている。溝１６は、切り込みであっても良い。穴１４に道糸を通す際に、道糸を溝１６から穴１４に入れる。なお、溝１６は、他の側部２２ｄ、２２ｅ、２２ｆから形成しても良い。
【００２０】
図２に示すように、下部２２ｂには、道糸が配置される空間２４を設けている。道糸が通過する位置に空間２４を設けて、下部２２ｂが道糸の邪魔にならないようにする。
【００２１】
逆止部２０は、穴１４に通された道糸が溝１６に戻らないようにするものである。穴１４が円形の場合、例えば、溝１６の先端を円形の接線方向ａと一致させて、穴１４を形成する内壁部分１８に爪状の逆止部２０を形成する（図３）。逆止部２０は、弾性力を有し、溝１６から穴１４に向かう力によって穴１４の内方に変形する。
【００２２】
図４（ａ）から図４（ｂ）のように、道糸５２を穴１４に入れる際、道糸によって溝１６から穴１６の方向に逆止部２０を押す力が発生する。この道糸５２による力によって逆止部２０が変形し、道糸が通る通路２６ができる。なお、逆止部２０が変形するまでに、溝１６が多少広がる場合がある。道糸５２が穴１４の中に入り、脱力されると元の内壁部分１８に戻る（図４（ｃ））。
【００２３】
逆止部２０は、穴１４の逆側がシモリ本体１２になっているため、逆止部２０が穴１４の逆側に変形することはない。穴１４に入った道糸５２によって、再び通路２６を形成する力が逆止部２０に作用しない。穴１４に入った道糸５２が溝１６に戻ることはない。
【００２４】
なお、溝１６の先端が、図３の法線方向ｂと一致すると、逆止部２０が形成されず、道糸が穴１４から溝１６に戻るおそれがある。
【００２５】
穴１４から道糸５２を抜く場合、（Ａ）道糸５２を任意の位置で折り返し（図５（ａ））、（Ｂ）折り返した側の道糸５２を溝１６から穴１４に入れ（図５（ｂ））、（Ｃ）道糸５２を引っ張ると、道糸５２が穴１４から抜ける。
【００２６】
道糸５２へのシモリ１０の着脱は、溝１６から穴１４に道糸５２を入れるだけであり、簡単である。道糸５２の切断をおこなう必要はない。仕掛けの作成や調節などが非常に簡単である。初心者でも簡単に仕掛けを作ることができる。
【００２７】
シモリ１０を使用した仕掛けについて説明する。図６に示すように、仕掛け５０は、道糸５２と、道糸５２に形成したウキ止め５４と、道糸５２が中通しされるウキ５６と、ウキ止め５４とウキ５６との間に取り付けたシモリ１０とを備える。ウキ５６よりも先には、錘５８や釣り針６０が取り付けられる。また、適宜サルカン６２が使用される。
【００２８】
ウキ止め５４は道糸５２にウキ止め糸を結んで形成する。ウキ止め５４は、シモリ１０の穴１４を通過できない大きさである。
【００２９】
ウキ５６は、中央を貫く穴６４を備え、穴６４の中を道糸５２が通過する。シモリ本体１２は、ウキ５６よりも小さいが、ウキ５６の穴６４を通過することはできない大きさである。仕掛けを投入後、錘５８が沈むため、ウキ５６は道糸５２に沿って竿側に移動する。そして、ウキ止め５４で停止されたシモリ１０によってウキ５６が停止する。
【００３０】
シモリ１０と同様に、ウキ５６にも溝１６や逆止部２０を設けても良い。シモリ１０と同様に道糸５２に着脱できる。仕掛け５０を作ったり調節したりする際に、シモリ１０やウキ５６を簡単に着脱できる。また、従来であればシモリ１０とウキ５６を順番に取り付ける必要があったが、シモリ１０とウキ５６を取り付ける順番は関係なくなり、初心者でも簡単に仕掛け５０を作ることができる。仕掛け５０を作ったり調節したりするときに、道糸５２の切断を最小限にすることができる。
【実施例２】
【００３１】
溝１６の幅が狭すぎると道糸５２を傷つけやすくなる。傷によって、魚を釣り上げ中に道糸５２が切れるおそれがある。また、溝１６の幅が狭すぎると道糸５２を入れにくくなる。そこで図７に示すように、溝１６ｂの入口付近の幅を広くして、穴１４に向かうにしたがって溝１６ｂの幅を狭くする。溝１６ｂの幅が広くなり、道糸５２を溝１６ｂに入れやすく、また道糸５２を傷つけにくくなる。
【実施例３】
【００３２】
下部２２ｂにも上部２２ａと同じ穴１４、溝１６、および逆止部２０を設けても良い。上部２２ａと下部２２ｂの穴１４、溝１６、および逆止部２０が対向するようにする。シモリ１０が道糸５２に取り付けられた時に、シモリ１０の動きが制限され、道糸５２がシモリ１０に絡まりにくくなる。
【００３３】
シモリ本体１２の折り曲げ方は任意であり、図１に限定されない。図８のシモリ１０ｂのように、シモリ本体１２ｂをリング状にしても良い。また、射出成形によって、折り曲げられたりしたシモリ本体１２を形成しても良い。
【実施例４】
【００３４】
図９のシモリ１０ｃのように、円形の板で構成されるシモリ本体１２ｃであってもよい。シモリ本体１２ｃに上記の穴１４、溝１６、および逆止部２０を形成する。非常に簡単にシモリ１０ｃを製造することができる。シモリ本体１２ｃは、板を折り曲げないため、樹脂以外に木材であっても良い。シモリ本体１２は、円形に限定されず、任意形状であっても良い。
【実施例５】
【００３５】
図１０や図１１のシモリ１０ｄ、１０ｅのように、シモリ本体１２ｄ、１２ｅは、球、半球、または多面体などの立体的形状であってもよい。球や半球のシモリ本体１２ｄ、１２ｅであれば、従来のシモリ１０２と同じ形状である。シモリ本体１２ｄ、１２ｅの内部は空洞であっても良い。また、シモリ本体１２ｄ、１２ｅが立体的形状であれば、穴１４の両開口部付近にのみ逆止部２０を設けても良い。道糸５２が常に穴１４の中に入り、道糸５２がシモリ１０ｄ、１０ｅに絡まりにくい。
【００３６】
その他、本考案は、その主旨を逸脱しない範囲で当業者の知識に基づき種々の改良、修正、変更を加えた態様で実施できるものである。各実施例は、他の実施例に対して排他的なものではなく、適宜組み合わせて実施しても良い。
【符号の説明】
【００３７】
１０：シモリ
１２：シモリ本体
１４：穴
１６：溝
１８：内壁部分
２０：逆止部
２４：空間
２６：通路
５０：仕掛け
５２：道糸
５４：ウキ止め
５６：ウキ 
【図１】
0003160626.tif 000003
【図２】
0003160626.tif 000004
【図３】
0003160626.tif 000005
【図４】
0003160626.tif 000006
【図５】
0003160626.tif 000007
【図６】
0003160626.tif 000008
【図７】
0003160626.tif 000009
【図８】
0003160626.tif 000010
【図９】
0003160626.tif 000011
【図１０】
0003160626.tif 000012
【図１１】
0003160626.tif 000013
【図１２】
0003160626.tif 000014